(57)【要約】【課題】簡易な構成で自然な屋外の光環境を演出することができると共に、屋外の開放感を感じることができる天空知覚装置を提供する。【解決手段】一実施形態に係る天空知覚装置１０は、光Ｌ１が照射された天井面１１と、天井面１１よりも観察者側に位置する枠状の領域画定部材３０と、を備え、領域画定部材３０は、目の焦点を天井面１１から観察者側にずらす焦点誘導部材である。【選択図】図２
2020170585.tif 000002
【特許請求の範囲】
【請求項１】
光が照射された室内面と、
前記室内面よりも観察者側に位置する枠状の領域画定部材と、
を備え、
前記領域画定部材は、目の焦点を前記室内面から前記観察者側にずらす焦点誘導部材である、
天空知覚装置。
【請求項２】
前記光が照射された室内面の色彩は、グラデーションを有する、
請求項１に記載の天空知覚装置。
【請求項３】
前記領域画定部材は、側面と下面とを有し、
前記側面の色彩の輝度は前記下面の色彩の輝度よりも高い、
請求項１又は２に記載の天空知覚装置。
【請求項４】
前記領域画定部材から下方に延びると共に前記領域画定部材よりも外部への視界を遮る遮蔽部材を備える、
請求項１〜３のいずれか一項に記載の天空知覚装置。
【請求項５】
前記領域画定部材の前記室内面からの距離を調整する距離調整部を備える、
請求項１〜４のいずれか一項に記載の天空知覚装置。
【請求項６】
前記光が照射された室内面は、均一な色彩を有する、
請求項１〜５のいずれか一項に記載の天空知覚装置。
【発明の詳細な説明】
【技術分野】
【０００１】
本発明は、天空を知覚させる天空知覚装置に関する。
【背景技術】
【０００２】
建物の室内には照明が設けられる。しかしながら、建物の窓際は明るいものの、建物の奥まった閉鎖空間では光が十分に届かずに開放感がないということがある。特開平４−２９２８０１号公報には、建物内及び地下空間を含む閉鎖空間に設けられる屋内照明装置が記載されている。屋内照明装置は、床面、壁面及び天井に囲まれた閉鎖空間の上部に配置された照明装置である。
【０００３】
屋内照明装置は、天井から下方に延びる複数の乳白パネル支持材によって支持された乳白パネルと、乳白パネルの上部に取り付けられると共に拡散光を放射する複数の光源と、乳白パネルから下方に露出すると共に下方に指向性の強い光を放射する光源と、を備える。この屋内照明装置において、指向性の強い光は太陽直射光に相当し、拡散光は青空光に相当する。そして、指向性の強い光の相関色温度と拡散光の相関色温度とを適宜変更することによって屋外の光環境の演出を図っている。
【先行技術文献】
【特許文献】
【０００４】
【特許文献１】特開平４−２９２８０１号公報
【発明の概要】
【発明が解決しようとする課題】
【０００５】
前述した屋内照明装置は、複数の乳白パネル支持材によって天井の下方に乳白パネルを支持した上で、拡散光を放射する複数の光源を乳白パネルの上部に配置し、更に乳白パネルに指向性の強い光源を配置するため、構成が複雑である。また、前述した屋内照明装置では、拡散光は乳白パネルを介して室内に照射され、指向性の強い光は乳白パネルから下方に露出する光源から室内に直接照射される。
【０００６】
従って、室内にいる人は、上を見たときに、乳白パネルと指向性の強い光を照射する光源を見ることになる。このとき、人の目の焦点が乳白パネル又は光源に合うため、屋外の光環境としてはリアリティに欠けており、不自然さが残るという問題がある。すなわち、室内の人は、乳白パネルの表面色を直視するため、表面色を持たない天空を見ている感覚を得られない。従って、室内の人は、屋外にいる感覚を感じることができず、開放感を得られないという問題がある。なお、表面色とは、物体の表面に見られるような色を示しており、物体との距離感がはっきりしている実在感のある色の見え方を示している。
【０００７】
また、乳白パネルの端部には壁面があるため、室内にいる人は上方を見たときに当該壁面と乳白パネルとの境目部分を見る場合もある。このように、上方を見たときに閉鎖空間の境目部分が視界に入ることがあるので、室内にいる人は演出の人工感を感じてしまい、開放感を得られないという問題がある。
【０００８】
本発明は、簡易な構成で自然な屋外の光環境を演出することができると共に、屋外の開放感を感じることができる天空知覚装置を提供することを目的とする。
【課題を解決するための手段】
【０００９】
本発明に係る天空知覚装置は、光が照射された室内面と、室内面よりも観察者側に位置する枠状の領域画定部材と、を備え、領域画定部材は、目の焦点を室内面から観察者側にずらす焦点誘導部材である。
【００１０】
この天空知覚装置では、光が照射された室内面の観察者側に枠状の領域画定部材が設けられるので、天空知覚装置の構成を簡易にすることができる。また、領域画定部材は、室内面の観察者側に位置すると共に枠状とされており、室内にいる観察者の目の焦点を室内面から観察者側にずらす焦点誘導部材である。よって、室内にいる観察者が室内面を見たときの視点は領域画定部材に誘導される。従って、室内にいる観察者から見て領域画定部材よりも遠くに位置する室内面に目の焦点が合わないので、光が照射された室内面までの距離を観察者が把握することができない。すなわち、観察者の目の焦点を室内面から観察者側にずらすことによって室内面との距離感を感じさせないようにすることができるので、室内面を見た観察者に天空を見ている感覚を与えることができる。従って、観察者の目の焦点が室内面に合わないことにより、屋外の光環境のリアリティを高めることができ、屋外の自然な光環境を演出することができると共に、屋外の開放感を得ることができる。このように、自然な屋外の光環境を演出することができ、屋外の開放感を感じることができるので、室内にいる観察者にリラックス効果をもたらすことができる。
【００１１】
また、光が照射された室内面の色彩は、グラデーションを有してもよい。なお、室内面の色彩は、輝度と色度からなる。この場合、室内にいる観察者が目の位置を動かすと、領域画定部材の背後の色彩が変化し、視界に奥行きを感じさせることができる。従って、室内面の色彩のグラデーションを見たときにおける屋外の空のリアリティを一層高めることができる。すなわち、視界に屋外の空の奥行きを与えることにより、天空を眺めている認識をより高めることができる。従って、人工感が無く、より自然に近い天空を演出することができるので、室内にいる観察者の開放感を高めると共にリラックス効果をより高めることができる。
【００１２】
また、領域画定部材は、側面と下面とを有し、側面の色彩の輝度は下面の色彩の輝度よりも高くてもよい。この場合、室内にいる観察者に領域画定部材の下面よりも側面の方が明るいと認識させることができる。また、室内にいる観察者に、領域画定部材の側面には空からの光が到達しており下面には空からの光が到達していないと認識させることができるので、領域画定部材の上方から下方へ向かう天空光の向きを室内にいる観察者に感じさせることができる。従って、天空の明るい空を演出することによって、より自然に近い光環境を提供することができる。
【００１３】
また、前述した天空知覚装置は、領域画定部材から下方に延びると共に領域画定部材よりも外部への視界を遮る遮蔽部材を備えてもよい。この場合、領域画定部材より外部への視線の移動を抑制することができるので、室内にいる観察者が領域画定部材の外部にある不自然なものを見る可能性を低減させることができる。従って、不自然さをより確実に解消することができるので、自然な屋外の光環境をより効果的に演出することができる。
【００１４】
また、前述した天空知覚装置は、領域画定部材の室内面からの距離を調整する距離調整部を備えてもよい。この場合、室内面の高さ等、室内の状態に応じて、観察者の目の焦点を誘導する焦点誘導部材の位置を調整することができる。従って、室内の状態に合わせて室内面を見た観察者の目の焦点の位置を調整することができるので、自然な屋外の光環境を更に効果的に演出することができる。
【００１５】
また、光が照射された室内面は、均一な色彩を有してもよい。この場合、室内面が均一な色彩を有することにより、自然に近い天空をより効果的に演出することができる。
【発明の効果】
【００１６】
本発明によれば、簡易な構成で自然な屋外の光環境を演出することができる。
【図面の簡単な説明】
【００１７】
【図１】第１実施形態に係る天空知覚装置が設けられた室内空間の例を示す斜視図である。
【図２】第１実施形態に係る天空知覚装置を示す縦断面図である。
【図３】図２の天空知覚装置の領域画定部材、照明装置及び室内面を拡大した縦断面図である。
【図４】図３の領域画定部材及び室内面を下方から見た斜視図である。
【図５】（ａ）は、色彩のコントラストの例を示す図である。（ｂ）は、（ａ）のコントラストの輝度変化の例を示すグラフである。
【図６】（ａ）は、色彩のグラデーションの例を示す図である。（ｂ）は、（ａ）のグラデーションの輝度変化の例を示すグラフである。
【図７】図４の焦点誘導部材及び室内面を見た観察者の目の焦点を説明する縦断面図である。
【図８】第２実施形態に係る天空知覚装置を示す縦断面図である。
【図９】図８の領域画定部材、照明装置及び室内面を拡大した縦断面図である。
【図１０】第３実施形態に係る天空知覚装置を示す縦断面図である。
【発明を実施するための形態】
【００１８】
以下では、図面を参照しながら本発明に係る天空知覚装置の実施形態について説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１９】
本明細書において、「室内面」とは、全部又は一部が囲まれた空間を画定する面を示しており、天井面又は壁面等の建物の内部に形成された面、及び部分的又は時間的に囲まれる空間を画定する面を含んでいる。部分的又は時間的に囲まれる空間を画定する面とは、一部が開放された空間、及び一時的に開放される空間の両方を含んでいる。部分的又は時間的に囲まれる面は、例えば、時間的に開閉される玄関及びエントランスを形成する面を含むと共に、軒下、アプローチテラス、ピロティ及び地下街を形成する面等を含んでおり、後述する焦点誘導部材の枠内において天空と物理的に遮断されていればよい。また、本明細書において、「観察者」とは、室内面を視認しうる人を示しており、積極的に室内面を観察する人だけでなく、単に室内面を見る人を含んでいる。
【００２０】
（第１実施形態）
例えば、建物の内部におけるオフィスの打ち合わせスペース等、オープンオフィスの中の打ち合わせコーナーが知られている。図１に示されるように、例えば打ち合わせコーナー等の室内空間１では、建物の内部ではあるものの屋外の自然を感じることができるように様々な工夫がなされる。一例として、室内空間１には、複数のテープル２、及び複数の椅子３の他、テープル２の上に植物が置かれたり、テープル２又は椅子３の隣接位置に植木が置かれたりして室内緑化が施されることがある。
【００２１】
一般的に、建物の室内空間において、窓際は明るいが、奥まったところでは光が十分に届いていないことにより開放感を得られないことがある。特に屋内の窓から離れた場所では、屋外からの自然光を十分に感じることができず閉塞感を感じさせてしまうという実情がある。
【００２２】
そこで、窓から離れた場所であっても、屋外の自然を感じることが可能な措置として室内空間１には植物が配置されることがあり、屋外の開放感を感じることができるように本実施形態に係る天空知覚装置１０が設けられる。天空知覚装置１０は、室内空間１を照らして室内空間１に屋外に近いしつらいをすることによって開放感を演出する。
【００２３】
図２は、天空知覚装置１０を示す縦断面図である。図１及び図２に示されるように、天空知覚装置１０は、例えば、天井面１１（室内面）に下から光Ｌ１を照射する照明装置２０と、天井面１１の下方に位置する枠状の領域画定部材３０と、領域画定部材３０から下方に延びる遮蔽部材４０と、領域画定部材３０を支持する支持部材５０とを備える。一例として、天井面１１は、穴が開けられたり、大がかりな装置が取り付けられたりすることがない室内面であり、工事が不要とされた既存の室内面である。
【００２４】
本明細書において「枠状の領域画定部材」は、室内面の領域を画定する部材を示しており、矩形の枠状部材だけでなく、一部が欠けた矩形の枠状部材、及びレール状に延びる２つの線状部材によって領域を画定する部材等を含んでおり、必ずしも厳密な枠に限定されない。「枠状の領域画定部材」は、矩形ではなく、平行四辺形若しくは台形等の他の四角形、三角形、五角形若しくは六角形等の多角形、円、又は楕円等の長円等によって領域を画定する部材も含んでいる。
【００２５】
本実施形態において、領域画定部材３０は、上方を見た観察者の目Ｅ（図７参照）の焦点を天井面１１（室内面）から観察者側にずらす焦点誘導部材である。本実施形態において、天井面１１は、室内空間１を形成する室内面である。「焦点誘導部材」とは、焦点を他の箇所から当該部材に誘導する部材を示しており、例えば、他の箇所よりも目立つ形状、模様又は色彩とされることによって焦点を自身に誘導する部材を含んでいる。
【００２６】
領域画定部材３０は支持部材５０によって支持されている。領域画定部材３０は、一例として、木製である。領域画定部材３０及び支持部材５０は、例えば、パーゴラ状とされていてもよい。この場合、支持部材５０は室内空間１の床から天井面１１に向かって延びる複数の柱状部材５１を備えており、複数の柱状部材５１の上端部の間において領域画定部材３０が掛け渡されている。
【００２７】
領域画定部材３０は、例えば、天井面１１の下方において天井面１１に沿う方向である第１方向Ｄ１に延びる複数の第１棒状部材３１と、天井面１１の下方において天井面１１に沿うと共に第１方向Ｄ１に交差する第２方向Ｄ２に延びる複数の第２棒状部材３２とを備える。例えば、複数の第１棒状部材３１及び複数の第２棒状部材３２は格子状に配置されており、第１方向Ｄ１及び第２方向Ｄ２は互いに直交している。
【００２８】
例えば、第２方向Ｄ２に沿って延びる複数の第２棒状部材３２のうち、第１方向Ｄ１の端部に位置する第２棒状部材３２からは遮蔽部材４０が下方に延びている。なお、第２方向Ｄ２の端部に位置する第１棒状部材３１から遮蔽部材４０が下方に延びていてもよい。遮蔽部材４０は、領域画定部材３０よりも外部への視界を遮るために設けられる。
【００２９】
遮蔽部材４０は、例えば、第２棒状部材３２に取り付けられており、第２棒状部材３２から垂れる簾状とされている。遮蔽部材４０は、暖簾状の布、又は複数の紐状部材であってもよく、遮蔽部材４０の形状、大きさ、数、材料及び配置態様は適宜変更可能である。例えば、遮蔽部材４０は半透明とされていてもよく、遮蔽部材４０の色彩及び透明度についても適宜変更可能である。
【００３０】
また、本実施形態に係る天空知覚装置１０は、領域画定部材３０及び支持部材５０の外方から遮蔽部材４０に光Ｌ２を照射する照明装置６０を更に備える。光Ｌ２は、例えば、直接光である。照明装置６０は、例えば、遮蔽部材４０への直射光を模擬する直射光模擬照明である。この場合、遮蔽部材４０は、照明装置６０からの直射光模擬照明の投影面である。一例として、光Ｌ２の色彩は白色又は黄色である。ここで、直射光とは、太陽から直接届く光を示しており、例えば、眩しくて直視することは難しいが、遮蔽部材４０を介して直射光を見ることにより、木漏れ日又はその陰によって晴れた日の印象を感じ取ることが可能である。
【００３１】
遮蔽部材４０は半透明のカーテンであってもよい。遮蔽部材４０が半透明のカーテンである場合、遮蔽部材４０及び照明装置６０によって木漏れ日を映し出すことが可能である。一例として、照明装置６０は、第１方向Ｄ１に沿って延びる棒状の支持部材６１と、支持部材６１の領域画定部材３０側の端部に支持された照明部６２とを備えており、照明部６２から遮蔽部材４０に向かって斜め下方に光Ｌ２が照射される。
【００３２】
図３は、図２の照明装置２０、領域画定部材３０及び照明装置６０を拡大した縦断面図である。図２及び図３に示されるように、照明装置２０は、例えば、領域画定部材３０の上部に配置されており、天井面１１に光Ｌ１を照射する。光Ｌ１は、例えば、拡散光である。光Ｌ１が照射された天井面１１の１平方メートルあたりの光度（輝度）は、例えば、２００ｃｄ／ｍ２以上であってもよいし、光Ｌ１が照射されていない天井の輝度（一例として３０ｃｄ／ｍ２）の５倍以上且つ６倍以下（１５０ｃｄ／ｍ２以上且つ１８０ｃｄ／ｍ２以下）であってもよい。このように、天井面１１に光Ｌ１を照射して一定以上の輝度とすることにより、明るい晴天の空を演出することが可能となる。なお、天井面１１の輝度は、天空の輝度の最大強度を超えない程度であることが好ましく、例えば、８０００ｃｄ／ｍ２以下であることが好ましい。
【００３３】
照明装置２０は、天井面１１に照射する拡散光である光Ｌ１の輝度を時間の経過に応じて変化してもよい。また、照明装置６０は、遮蔽部材４０に照射する直接光である光Ｌ２の輝度を時間の経過に応じて変化してもよい。更に、照明装置２０及び照明装置６０の少なくともいずれかは、光Ｌ１，Ｌ２の色度又は輝度を時間の経過に応じて変化してもよい。このように、光Ｌ１，Ｌ２の色彩を時間の変化に応じて変化することにより、色彩が変化する天空をより効果的に演出することが可能となる。
【００３４】
照明装置２０は、例えば、天井面１１に天空光を模擬する光Ｌ１を照射する天空光模擬照明であり、一例として、光Ｌ１の色彩は青系色又は白色である。光Ｌ１の色彩は空色であってもよい。なお、天空光とは、拡散したやわらかい光を示しており、例えば、観察者が直視可能な光である。観察者が天空光を模擬する光Ｌ１を見ることによって、屋外の青空の心地よさを感じさせることが可能となる。
【００３５】
照明装置２０は、例えば、領域画定部材３０の上面に貼り付けられたテープＬＥＤである。一例として、照明装置２０は、領域画定部材３０の上面に位置する複数のＬＥＤハウジング２１と、ＬＥＤハウジング２１に保持された複数のＬＥＤ光源２２とを有し、各ＬＥＤ光源２２から上方の天井面１１に向かって発散光が照射される。照明装置２０は、例えば、青系色と白色とのグラデーションを有する光Ｌ１を天井面１１に照射する。これにより、屋外の明るい空を演出することが可能である。
【００３６】
図４は、領域画定部材３０及び天井面１１を下方から見た斜視図である。図３及び図４に示されるように、例えば、領域画定部材３０は複数の枠部３５を含んでおり、複数の枠部３５の間から上方の天井面１１が視認される。領域画定部材３０は、観察者の目Ｅの焦点を天井面１１から下方に誘導する焦点誘導部材であり、目Ｅの焦点を天井面１１に合わせない状態とする。
【００３７】
領域画定部材３０は、例えば、側面３０ｂと下面３０ｃとを有する。側面３０ｂの色彩の輝度は下面３０ｃの色彩の輝度よりも高い。すなわち、側面３０ｂの色彩は下面３０ｃの色彩よりも明るい。これにより、下面３０ｃよりも側面３０ｂの方が明るく見えるので、下から領域画定部材３０を見たときに、領域画定部材３０から上方に明るく照らされた天空を模擬することができる。
【００３８】
前述したように、領域画定部材３０は、観察者の目Ｅの焦点を天井面１１から下方（領域画定部材３０）に誘導する焦点誘導部材である。側面３０ｂの色彩と下面３０ｃの色彩とは互いに異なっており、領域画定部材３０の色彩はコントラストを有する。従って、観察者の目Ｅは、天井面１１ではなくコントラストを有する領域画定部材３０に誘導される。この領域画定部材３０によって観察者の目Ｅの焦点が天井面１１から領域画定部材３０に誘導されるので、天井面１１までの距離を知覚することが困難になる。
【００３９】
前述したように、例えば、天井面１１にはグラデーションを有する光Ｌ１が照射され領域画定部材３０の色彩はコントラストを有する。図５（ａ）は色彩のコントラストの例を示し、図５（ｂ）は図５（ａ）の色彩の変位と輝度の関係を模式的に示すグラフである。図６（ａ）は色彩のグラデーションの例を示し、図６（ｂ）は図６（ａ）の色彩の変位と輝度の関係を模式的に示すグラフである。
【００４０】
図５（ａ）及び図５（ｂ）に示されるように、「コントラスト」は、色彩の輝度の差（例えば明暗の差）が生じている状態を示しており、輝度が急激に変化する部分を含んでいる。「コントラスト」は、一例として、縦軸を輝度、横軸を変位とした関数において微分係数が算出できない箇所（例えば図５（ｂ）のグラフの角部）が存在することを含んでいる。
【００４１】
図６（ａ）及び図６（ｂ）に示されるように、「グラデーション」は、色彩の輝度が連続的に（なだらかに又は緩やかに）変化している状態を示している。一例として、「グラデーション」は、縦軸を輝度、横軸を変位とした関数において微分係数が算出できない箇所が存在しないことを含んでいる。
【００４２】
図４に示されるように、本実施形態において、天井面１１の色彩は、グラデーションを有するが、コントラストを有しない。人の目は、右目と左目とで見える物の方向が異なる両眼視差、目の位置の移動によって物の方向が異なる移動視差、及び右目と左目の視線によって形成される輻輳角、から物体までの距離を知覚する。コントラストを有しない天井面１１は焦点を合わせる対象がないため、距離を知覚する手がかりがなく、天井面１１までの距離を認識することが難しい。
【００４３】
例えば、下方から領域画定部材３０を見たときに、コントラストが見えない天井面１１とされている。「コントラスト」は、例えば、天井の端部、角部、折れ目、エッジ、鋭利な突起等の凹凸、模様、影若しくは段差等の線状部分、又は火災報知器等の機器を含む付着物が存在することによって生じる。人は、コントラストが存在する部分に物が存在すると知覚する性質を有し、天井面１１にコントラストが存在すると天井面１１に投影面があると知覚する。このように、天井面１１にコントラストが存在すると、観察者は天井面１１に投影面があると知覚するので、天空のように見せようとしても投影面の表面色として認識されるため、天空を見ている感覚を得られず不自然さ又は閉塞感が生じうる。
【００４４】
従って、本実施形態では、天井面１１には線状部分及び付着物が無く、天井面１１にコントラストが設けられないようにしている。すなわち、本実施形態では、天井面１１を下から見たときの視野を領域画定部材３０で区切り、領域画定部材３０によって区切られた範囲内の視野においてコントラストが見えないようにしている。このように、観察者の視野を領域画定部材３０で画定した上で画定した視野の範囲内でコントラストが見えないようにすることにより、天井面１１までの距離を認識することが難しくなり、天井面１１に投影面があると観察者が知覚しないようにすることができる。その結果、天井面１１を表面色として認識されることを防ぐことができる。
【００４５】
枠状の領域画定部材３０を通してコントラストを有しない天井面１１を見ることによって、天井面１１の色彩は面色として認識される。ここで、面色とは、物体に定位して見える表面色とは異なり、澄みきった空のように純粋な色の感じで実体感が伴わず、柔らかさと厚みが感じられ、距離の印象が不確かである色彩を示している。このように、コントラストを有しない天井面１１の色彩が空と同様の面色として認識されることにより、天井面１１を、物体を伴わず天まで抜けた状態である天空として認識させることができる。
【００４６】
図７に示されるように、本実施形態では、天井面１１の色彩にコントラストがなく且つ領域画定部材３０の色彩にコントラストがあることにより、天井面１１から領域画定部材３０に観察者の目Ｅの焦点を誘導する。すなわち、天井面１１から領域画定部材３０に視線を誘導して天井面１１との距離感を曖昧にすることによって天井面１１を面色、すなわち天空と認識させる。
【００４７】
続いて、本実施形態に係る天空知覚装置１０から得られる作用効果について詳細に説明する。天空知覚装置１０では、光Ｌ１が照射された天井面１１の下方に枠状の領域画定部材３０が設けられる。従って、既存の天井面１１に光Ｌ１を照射することができるので、天空知覚装置１０の構成を簡易にすることができる。
【００４８】
また、領域画定部材３０は、天井面１１の下方に位置すると共に枠状とされており、室内にいる観察者の目Ｅの焦点を天井面１１から下方にずらす焦点誘導部材である。よって、室内にいる観察者が上を見たときの視点は領域画定部材３０に誘導される。従って、室内にいる観察者から見て領域画定部材３０よりも遠くに位置する天井面１１に目Ｅの焦点が合わないので、光Ｌ１が照射された天井面１１の色彩は表面色として認識されにくくなる。
【００４９】
すなわち、観察者の目Ｅの焦点を天井面１１から下方にずらすことによって天井面１１との距離感を認識しにくい状態を生じさせることができるので、上方を見た観察者に天空を見ている感覚を与えることができる。従って、観察者の目Ｅの焦点が天井面１１に合わないことにより、屋外の光環境のリアリティを高めることができ、屋外の自然な光環境を演出することができると共に、屋外の開放感を感じることができるので、室内にいる観察者にリラックス効果をもたらすことができる。
【００５０】
図４に示されるように、光Ｌ１が照射された天井面１１の色彩は、グラデーションを有してもよい。この場合、物体の背後のグラデーションを見るときに両眼視差や移動視差によって奥行きを感じさせることができる。天井面１１の色彩がグラデーションを有し、且つコントラストを有しない場合、観察者は、天井面１１の位置に物体を認識しないが、視界に奥行きを感じることができるため、天井面１１を天空であると認識する。従って、上方の色彩のグラデーションを見たときにおける屋外の空のリアリティーを一層高めることができる。すなわち、上方の視界に屋外の空の奥行き感を与えることにより、天空を眺めている認識をより高めることができる。従って、人工感が無く、より自然に近い天空を演出することができるので、室内にいる観察者の開放感を高めると共にリラックス効果をより高めることができる。
【００５１】
枠状の領域画定部材３０を通して光Ｌ１が照射された天井面１１を見ることによって、天井面１１の色彩は面色として認識される。このように、光Ｌ１が照射された天井面１１の色彩が空と同様の面色として認識されることにより、天井面１１を、物体を伴わず天まで抜けた状態である天空として認識させることができる。
【００５２】
また、天空知覚装置１０において、天井面１１の色彩がグラデーションを有しており、領域画定部材３０は複数の枠部３５を含んでおり、複数の枠部３５の間から天井面１１が視認される。従って、複数の枠部３５の間にグラデーションを有する天井面１１が見えることになり、両眼視差や運動視差によって奥行きを感じることができるため、複数の枠部３５の間における色彩の緩やかな変化を天空として認識させることができる。その結果、天空を認識させる効果を更に高めることができる。
【００５３】
また、領域画定部材３０は、側面３０ｂと下面３０ｃとを有し、側面３０ｂの色彩の輝度は下面３０ｃの色彩の輝度よりも高くてもよい。この場合、室内にいる観察者に領域画定部材３０の下面３０ｃよりも側面３０ｂの方が明るいと認識させることができる。また、室内にいる観察者に、上から光が来ている、すなわち、領域画定部材３０の側面３０ｂには空からの光が到達しており下面３０ｃには空からの光が到達していないと認識させることができるので、領域画定部材３０の奥にある天空の明るい空を室内にいる観察者に感じさせることができる。従って、天空の明るい空を演出することによって、より自然に近い光環境を提供することができる。
【００５４】
図２に示されるように、天空知覚装置１０は、領域画定部材３０から下方に延びると共に領域画定部材３０よりも外部への視界の移動を遮る遮蔽部材４０を備えてもよい。この場合、領域画定部材３０より外部への視界の移動を抑制することができるので、室内にいる観察者が領域画定部材３０の外部にある不自然なものを見る可能性を低減させることができる。従って、不自然さをより確実に解消することができるので、自然な屋外の光環境をより効果的に演出することができる。
【００５５】
（第２実施形態）
次に、第２実施形態に係る天空知覚装置７０について図８及び図９を参照しながら説明する。天空知覚装置７０は、複数の柱状部材５１を有する支持部材５０に代えて、領域画定部材３０を吊る吊り具８１を有する支持部材８０を備える。以下では、第１実施形態と重複する説明を適宜省略する。一例として、吊り具８１は、天井面１１から領域画定部材３０に向かって延びるワイヤ８２を備える。
【００５６】
天空知覚装置７０は、領域画定部材３０の天井面１１からの距離を調整する距離調整部７１を備える。距離調整部７１は、例えば、ワイヤ８２の長さ（ワイヤ８２の天井面１１から領域画定部材３０に延びる部分の長さ）を調整する長さ調整部であり、ワイヤ８２の長さが調整されることによって領域画定部材３０の高さ位置が調整される。一例として、ワイヤ８２はステンレスワイヤである。
【００５７】
第２実施形態に係る天空知覚装置７０では、照明装置２０から光Ｌ１が天井面１１に照射され、天井面１１の下方に吊り具８１によって吊り下げられた領域画定部材３０が設けられる。また、領域画定部材３０は、天井面１１の下方に位置すると共に枠状とされており、室内にいる観察者の目Ｅを天井面１１から下方にずらす焦点誘導部材である。従って、室内にいる観察者から見て領域画定部材３０よりも遠くに位置する天井面１１に目Ｅの焦点が合わないので、光Ｌ１が照射された天井面１１を実際の距離よりも遠くにあると認識させることができる。その結果、第１実施形態と同様の効果が得られる。
【００５８】
また、第２実施形態に係る天空知覚装置７０は、領域画定部材３０の天井面１１からの距離を調整する距離調整部７１を備える。よって、天井面１１の高さ等、室内空間１の状態に応じて、観察者の目Ｅの焦点を誘導する焦点誘導位置の位置を調整することができる。従って、室内空間１の状態に合わせて天井面１１を見た観察者の目Ｅの焦点の位置を調整することができるので、自然な屋外の光環境を更に効果的に演出することができる。
【００５９】
（第３実施形態）
続いて、第３実施形態に係る天空知覚装置９０について図１０を参照しながら説明する。天空知覚装置９０は、照明装置２０，６０からの光Ｌ１に代えて太陽光を用いている点、天井面１１に代えて太陽光を透過する太陽光透過部材９１を備える点、及び太陽光透過部材９１の室内面である下面９１ｂではなく上面９１ｃに太陽光が照射される点、が前述した各実施形態とは異なっている。太陽光透過部材９１は、例えば、板状とされている。太陽光透過部材９１の材料は、一例として、ガラス、又はアクリル等の樹脂である。
【００６０】
第３実施形態では、太陽光が太陽光透過部材９１の上面９１ｃに照射され、太陽光透過部材９１の下面９１ｂの下方に領域画定部材３０が設けられる。領域画定部材３０は、太陽光透過部材９１の下方に位置すると共に枠状とされており、下方にいる観察者の目Ｅを太陽光透過部材９１の下面９１ｂから下方にずらす焦点誘導部材である。従って、前述と同様、観察者から見て領域画定部材３０よりも遠くに位置する太陽光透過部材９１の下面９１ｂに目Ｅの焦点が合わないので、太陽光透過部材９１の下面９１ｂを実際の距離よりも遠くにあると認識させることができる。その結果、前述した各実施形態と同様の効果が得られる。
【００６１】
以上、本発明に係る天空知覚装置の実施形態について説明した。しかしながら、本発明は、前述の各実施形態に限定されるものではなく、各請求項に記載した要旨を変更しない範囲において変形し、又は他のものに適用したものであってもよい。すなわち、本発明は、各請求項の要旨を変更しない範囲において種々の変形が可能であり、例えば、天空知覚装置、及び室内空間の各部の構成は適宜変更可能である。
【００６２】
例えば、前述の実施形態では、柱状部材５１を備えた支持部材５０、及び吊り具８１を備えた支持部材８０、について説明した。しかしながら、領域画定部材を支持する手段は、柱状部材５１又は吊り具８１とは更に異なっていてもよく、天井面の下方で領域画定部材を支持可能な部材であれば適宜変更可能である。また、前述の実施形態では、領域画定部材３０の高さ位置を調整する距離調整部７１がワイヤ８２の長さを調整する長さ調整部である例について説明した。しかしながら、距離調整部の構成は適宜変更可能である。例えば、支持部材５０の各柱状部材５１の高さが調整可能とされていてもよい。更に、天井面、照明装置、領域画定部材、については以下のように変形することも可能である。
【００６３】
例えば、天井面１１に照射される光Ｌ１は、電球からの光であってもよく、照明装置２０の光源の種類は適宜変更可能である。また、照明装置２０は、プロジェクタ等の映像投影装置であってもよいし、ＬＥＤ又は電球等の光源と当該映像投影装置とが組み合わされた装置であってもよい。更に、照明装置２０は、天井面１１に静止画又は動画を映し出してもよい。
【００６４】
遮蔽部材４０に照射される光Ｌ２は、電球からの光であってもよいし、ＬＥＤからの光であってもよく、照明装置６０の光源の種類も適宜変更可能である。更に、照明装置６０は、プロジェクタ等の映像投影装置であってもよいし、ＬＥＤ又は電球等の光源と当該映像投影装置とが組み合わされたものであってもよいし、遮蔽部材４０に静止画又は動画を映し出してもよい。
【００６５】
例えば、天井面１１の色彩は、青系色であってもよいし、青系色以外の色であってもよく適宜変更可能である。更に、天井面１１の色彩そのものがグラデーションを有していてもよい。天井面１１の色彩が青系色である場合、例えば白色の光Ｌ１を天井面１１に照射して晴天を模擬することが可能である。
【００６６】
また、前述したように光Ｌ１の色彩も適宜変更可能であり、一例として、夕刻になったら青系色からオレンジ系色の光Ｌ１に変更して夕焼けの空を模擬してもよい。前述したように、天井面１１に照射される光Ｌ１、及び遮蔽部材４０に照射される光Ｌ２は、調色又は調光されてもよく、例えば、明度が互いに異なる複数種類の色彩が組み合わされた光であってもよい。
【００６７】
また、前述の実施形態では、光Ｌ１が照射された天井面１１の色彩がグラデーションを有する例について説明した。しかしながら、光Ｌ１が照射された天井面１１の色彩はグラデーションを有しなくてもよい。例えば、光Ｌ１が照射された天井面１１の色彩は、空色等、単色であってもよい。また、光Ｌ１が照射された天井面１１は、均一な色彩を有していてもよい。ここで「均一な色彩」とは、輝度又は色度等の値が均一である場合だけでなく、輝度等が多少変化しても人の視覚において均一と認識されうる色彩も含んでいる。例えば、天井面１１に輝度のばらつきがあるものの、輝度のばらつきの空間周波数が０．１ｃｐｄ未満又は３０ｃｐｄを超える場合、天井面１１のコントラストを人は知覚できないため、輝度が均一と認識されうる。
また、輝度のばらつきの空間周波数が０．１ｃｐｄ以上且つ３０ｃｐｄ以下であっても、例えば、
・輝度のばらつきの空間周波数が０．１ｃｐｄ以上且つ１ｃｐｄ未満（０．５ｃｐｄ前後）で最高輝度と最低輝度の比が１．１０倍よりも小さいとき、
・輝度のばらつきの空間周波数が１ｃｐｄ以上且つ３ｃｐｄ未満（２ｃｐｄ前後）で最高輝度と最低輝度の比が１．０４倍よりも小さいとき、
・輝度のばらつきの空間周波数が３ｃｐｄ以上且つ８ｃｐｄ以下（６ｃｐｄ前後）で最高輝度と最低輝度の比が１．０２倍よりも小さいとき、
・輝度のばらつきの空間周波数が８ｃｐｄよりも大きく且つ１６ｃｐｄ以下（１２ｃｐｄ前後）で最高輝度と最低輝度の比が１．０４倍よりも小さいとき、又は、
・輝度のばらつきの空間周波数が１６ｃｐｄよりも大きく且つ３０ｃｐｄ以下（２０ｃｐｄ前後）で最高輝度と最低輝度の比が１．１０倍よりも小さいとき、
は天井面１１のコントラストを人が知覚できないため、輝度が均一と認識されうる。更に、色度に関しては、例えば、＋ａ＊方向を赤方向、−ａ＊方向を緑方向、＋ｂ＊方向を黄方向、−ｂ＊方向を青方向とするＬ＊ａ＊ｂ＊色空間の座標において色度の差が２０以下であるとき、天井面１１のコントラストを人は知覚できないため、色度が均一と認識されうる。
このように色彩が均一と認識されうる場合も、領域画定部材３０への焦点の誘導によって天井面１１が実際の距離よりも遠くにあるように認識させることができるので、天空を感じさせることができる。更に、天井面１１の色彩は、グラデーションを有する領域、及び均一とされた領域の双方を備えていてもよい。
【００６８】
また、前述の実施形態では、光Ｌ１が照射された天井面１１と、天井面１１よりも下方に位置する領域画定部材３０とを備える天空知覚装置１０について説明した。しかしながら、天井面１１よりも下方に位置する領域画定部材３０に代えて、例えば、壁面よりも観察者側に位置する領域画定部材を備えていてもよい。すなわち、室内面、領域画定部材及び観察者は、必ずしも上下に並んでいなくてもよく、例えば、室内面よりも斜め下方に位置する領域画定部材を備えていてもよい。このように、観察者を基準とした領域画定部材及び室内面が設けられる方向は適宜変更可能である。更に、前述の実施形態では、天井面１１に下方から光を照射する照明装置２０を備える例、及び太陽光透過部材９１の上面９１ｃに上方から太陽光が照射する例について説明した。このように、室内面に対する光の照射方向は適宜変更可能である。
【００６９】
また、前述の実施形態では、遮蔽部材４０及び照明装置６０を備える天空知覚装置１０について説明した。しかしながら、遮蔽部材４０及び照明装置６０の少なくともいずれかが省略された天空知覚装置であってもよい。更に、前述の実施形態では、領域画定部材３０の側面３０ｂの色彩の輝度が下面３０ｃの色彩の輝度よりも高い例について説明した。しかしながら、領域画定部材３０の各部の色彩、形状、大きさ、材料、数及び配置態様は適宜変更可能である。
【００７０】
また、前述の実施形態では、テープル２及び椅子３を有する打ち合わせコーナー等の室内空間１に設けられる天空知覚装置１０，７０について説明した。しかしながら、天空知覚装置は、打ち合わせコーナー以外の室内空間にも適用可能であり、オフィス以外の建物にも適用可能であり、種々の空間に適用させることが可能である。
【符号の説明】
【００７１】
１…室内空間、２…テープル、３…椅子、１０，７０，９０…天空知覚装置、１１…天井面、２０…照明装置、２１…ＬＥＤハウジング、２２…ＬＥＤ光源、３０…領域画定部材、３０ｂ…側面、３０ｃ…下面、３１…第１棒状部材、３２…第２棒状部材、３５…枠部、４０…遮蔽部材、５０，８０…支持部材、５１…柱状部材、６０…照明装置、６１…支持部材、６２…照明部、７１…距離調整部、８１…吊り具、８２…ワイヤ、９１…太陽光透過部材、９１ｂ…下面（室内面）、９１ｃ…上面、Ｄ１…第１方向、Ｄ２…第２方向、Ｅ…目、Ｌ１，Ｌ２…光。
【図１】
2020170585.tif 000003
【図２】
2020170585.tif 000004
【図３】
2020170585.tif 000005
【図４】
2020170585.tif 000006
【図５】
2020170585.tif 000007
【図６】
2020170585.tif 000008
【図７】
2020170585.tif 000009
【図８】
2020170585.tif 000010
【図９】
2020170585.tif 000011
【図１０】
2020170585.tif 000012